(57)【要約】【課題】下枠の位置調整を容易に行うことができる下枠用ブラケットおよび建具を提供すること。【解決手段】下枠用ブラケット３０は、下枠１２の下面に接する第１ブラケット３１と、第１ブラケット３１の下側に配置される第２ブラケット４１とを備えて構成されている。第１ブラケット３１は、下枠１２が取り付けられる躯体６に固定される第１固定片３２と、第１固定片３２から室外方向に延出されて下枠１２の下面に接する第１延出片３３とを備える。第２ブラケット４１は、第１固定片３２よりも下方まで延長されて躯体６に固定される第２固定片４２と、第２固定片４２から室外方向に延出されて第１延出片３３の下側に配置された第２延出片４３とを備える。第２延出片４３にはネジ穴４３１が形成され、ネジ穴４３１には調整ネジ４７が螺合される。調整ネジ４７の先端は、第１延出片３３に当接されている。【選択図】図３
2019138075.tif 000002
【特許請求の範囲】
【請求項１】
建物の躯体に取り付けられる下枠を支持する下枠用ブラケットであって、
前記下枠用ブラケットは、前記下枠の下面に接する第１ブラケットと、前記第１ブラケットの下側に配置される第２ブラケットとで構成されており、
前記第１ブラケットは、前記躯体に固定される第１固定片と、前記第１固定片から室外方向に延出されて前記下枠の下面に接する第１延出片とを備え、
前記第２ブラケットは、前記第１固定片よりも下方まで延長されて前記躯体に固定される第２固定片と、前記第２固定片から室外方向に延出されて前記第１延出片の下側に配置された第２延出片とを備え、
前記第２延出片にはネジ穴が形成され、前記ネジ穴には調整ネジが螺合され、
前記調整ネジの先端は、前記第１延出片に当接されている
ことを特徴とする下枠用ブラケット。
【請求項２】
建物の躯体に取り付けられる下枠を支持する下枠用ブラケットであって、
前記下枠用ブラケットは、前記下枠の下面に接する第１部材と、前記第１部材の下側に配置される第２部材とを備え、
前記第２部材は、前記躯体に固定される固定片と、前記固定片から室外方向に延出される延出片とを備え、
前記第１部材は、前記延出片と前記下枠との間に配置される当接片を備え、
前記当接片には、調整ネジが螺合され、
前記延出片には、前記調整ネジの頭部に形成された工具係合部を露出させる貫通穴が形成され、
前記調整ネジの頭部は、前記延出片の前記貫通穴の周囲に当接されている
ことを特徴とする下枠用ブラケット。
【請求項３】
建物の躯体に取り付けられる下枠を支持する下枠用ブラケットであって、
前記下枠用ブラケットは、前記下枠の下面に接する第１部材と、前記第１部材の下側に配置される第２部材とを備え、
前記第２部材は、前記躯体に固定される固定片と、前記固定片から室外方向に延出される延出片とを備え、
前記第１部材は、前記延出片と前記下枠との間に配置される当接片を備え、
前記延出片には、調整ネジが螺合され、
前記調整ネジの先端は、前記当接片に当接されている
ことを特徴とする下枠用ブラケット。
【請求項４】
請求項１から請求項３のいずれか一項に記載の下枠用ブラケットにおいて、
前記調整ネジは、見込み方向の位置が、前記下枠用ブラケットの下方に配置される外壁材よりも室外側である
ことを特徴とする下枠用ブラケット。
【請求項５】
下枠を有する建具枠と、
前記建具枠内に設けられた障子と、
前記下枠を支持する請求項１から請求項４のいずれか一項に記載の下枠用ブラケットと、を備えることを特徴とする建具。
【発明の詳細な説明】
【技術分野】
【０００１】
本発明は、下枠用ブラケットおよび建具に関する。
【背景技術】
【０００２】
建具枠に障子を開閉可能に設けた引違い窓等の建具において、建具枠の一部が躯体よりも室外側に配置された半外付けタイプの建具が知られている。
このような建具において、下枠が障子の重量によって垂れ下がることがある。このため、下枠を支持するブラケット部材を設けて下枠の垂れ下がりを防止したものが知られている（例えば特許文献１参照）。
特許文献１のブラケット部材は、下方に向けて延在する下延支持片と、下延支持片の上部より室外方向に向けて延在する外延支持片とを有している。そして、下延支持片に、躯体との間に間隙が形成された第１固定支持部と、第１固定支持部の下方において躯体に接触する第２固定支持部とを設け、前記第１固定支持部から躯体にねじ込まれたネジを締め付ける。これにより、第２固定支持部が躯体外壁面に近接して傾くため、外延支持片は室外側に向けて漸次上方に傾斜した姿勢となり、下枠を上方に持ち上げた形態にできて、下枠の垂れ下がりを防止している。
【先行技術文献】
【特許文献】
【０００３】
【特許文献１】特開２０１３−０１４８７９号公報
【発明の概要】
【発明が解決しようとする課題】
【０００４】
前記特許文献１では、第１固定支持部と躯体との間隙部分において、第１固定支持部を躯体外壁面に近接させることで、外延支持片を傾斜させており、外延支持片を直接上方に移動させていないため、下枠の持ち上げ量も直接調整できず、下枠の位置調整が難しかった。
【０００５】
本発明の目的は、下枠の位置調整を容易に行うことができる下枠用ブラケットおよび建具を提供することにある。
【課題を解決するための手段】
【０００６】
本発明は、建物の躯体に取り付けられる下枠を支持する下枠用ブラケットであって、前記下枠用ブラケットは、前記下枠の下面に接する第１ブラケットと、前記第１ブラケットの下側に配置される第２ブラケットとで構成されており、前記第１ブラケットは、前記躯体に固定される第１固定片と、前記第１固定片から室外方向に延出されて前記下枠の下面に接する第１延出片とを備え、前記第２ブラケットは、前記第１固定片よりも下方まで延長されて前記躯体に固定される第２固定片と、前記第２固定片から室外方向に延出されて前記第１延出片の下側に配置された第２延出片とを備え、前記第２延出片にはネジ穴が形成され、前記ネジ穴には調整ネジが螺合され、前記調整ネジの先端は、前記第１延出片に当接されていることを特徴とする。
本発明によれば、下枠用ブラケットを、第１ブラケットおよび第２ブラケットの２つのブラケットで構成し、第２ブラケットの第２延出片に設けたネジ穴に螺合した調整ネジの先端を、第１ブラケットの第１延長片に当接しているので、調整ネジをねじ込むことで、第１ブラケットの第１延出片の上下位置を調整でき、これにより第１延出片が接している下枠の上下位置も調整でき、下枠の垂れ下がりも防止できる。したがって、調整ネジのねじ込み量によって、第１ブラケットの第１延出片および下枠の上下方向の位置を直接調整できるので、下枠の位置を容易にかつ精度よく調整できる。
【０００７】
本発明は、建物の躯体に取り付けられる下枠を支持する下枠用ブラケットであって、前記下枠用ブラケットは、前記下枠の下面に接する第１部材と、前記第１部材の下側に配置される第２部材とを備え、前記第２部材は、前記躯体に固定される固定片と、前記固定片から室外方向に延出される延出片とを備え、前記第１部材は、前記延出片と前記下枠との間に配置される当接片を備え、前記当接片には、調整ネジが螺合され、前記延出片には、前記調整ネジの頭部に形成された工具係合部を露出させる貫通穴が形成され、前記調整ネジの頭部は、前記延出片の前記貫通穴の周囲に当接されていることを特徴とする。
本発明によれば、下枠用ブラケットを、第１部材および第２部材の２つの部材で構成し、第１部材の当接片に設けたネジ穴に螺合されている調整ネジを回転することで、第２部材に対して第１部材の当接片の上下位置を調整でき、これにより当接片が接している下枠の上下位置も調整でき、下枠の垂れ下がりも防止できる。したがって、調整ネジの回転量によって、第１部材の当接片および下枠の上下方向の位置を直接調整できるので、下枠の位置を容易にかつ精度よく調整できる。
【０００８】
本発明は、建物の躯体に取り付けられる下枠を支持する下枠用ブラケットであって、前記下枠用ブラケットは、前記下枠の下面に接する第１部材と、前記第１部材の下側に配置される第２部材とを備え、前記第２部材は、前記躯体に固定される固定片と、前記固定片から室外方向に延出される延出片とを備え、前記第１部材は、前記延出片と前記下枠との間に配置される当接片を備え、前記延出片には、調整ネジが螺合され、前記調整ネジの先端は、前記当接片に当接されていることを特徴とする。
本発明によれば、下枠用ブラケットを、第１部材および第２部材の２つの部材で構成し、第２部材の延出片に設けたネジ穴に螺合した調整ネジの先端を、第１部材の当接片に当接しているので、調整ネジをねじ込むことで、第１部材の当接片の上下位置を調整でき、これにより当接片が接している下枠の上下位置も調整でき、下枠の垂れ下がりも防止できる。したがって、調整ネジのねじ込み量によって、第１部材の当接片および下枠の上下方向の位置を直接調整できるので、下枠の位置を容易にかつ精度よく調整できる。
【０００９】
本発明の下枠用ブラケットにおいて、前記調整ネジは、見込み方向の位置が、前記下枠用ブラケットの下方に配置される外壁材よりも室外側であることが好ましい。
本発明によれば、外壁仕上げ後であっても、調整ネジを操作することができ、外壁材を剥がすことなく、下枠の位置を容易に調整できる。
【００１０】
本発明の建具は、下枠を有する建具枠と、前記建具枠内に設けられた障子と、前記下枠を支持する前記下枠用ブラケットとを備えることを特徴とする。
本発明の建具によれば、前記下枠用ブラケットを備えているので、下枠の位置を容易にかつ精度よく調整できる。
【発明の効果】
【００１１】
本発明の下枠用ブラケットおよび建具によれば、下枠の位置調整を容易に行うことができる。
【図面の簡単な説明】
【００１２】
【図１】本発明の第１実施形態に係る引違い窓の外観姿図。
【図２】第１実施形態の引違い窓の下枠の縦断面図。
【図３】第１実施形態の引違い窓の下枠の垂れ下がり調整後の状態を示す縦断面図。
【図４】第２実施形態の引違い窓の下枠の縦断面図。
【図５】第２実施形態の引違い窓の下枠の垂れ下がり調整後の状態を示す縦断面図。
【図６】本発明の変形例の引違い窓の下枠の縦断面図。
【発明を実施するための形態】
【００１３】
以下、本発明の実施形態を図面に基づいて説明する。
本実施形態は、図１に示すように、引違い窓１を建具として構成したものである。引違い窓１は、建具枠である窓枠２と、外障子３および内障子４とを備えて構成されている。
窓枠２は、上枠１１、下枠１２および左右の縦枠１３，１４を備えて構成される。上枠１１、下枠１２、縦枠１３、１４は、合成樹脂製の押出形材で構成された樹脂枠である。
外障子３、内障子４は、合成樹脂製の框材を枠組みして複層ガラスを保持した公知の障子であるため、説明を省略する。
なお、以下の説明において、引違い窓１の屋内外方向を見込み方向とし、図１における引違い窓１の左右方向（外障子３、内障子４の移動方向）を、上枠１１、下枠１２の長手方向とする。また、図２〜６において、下枠１２のハッチングは省略する。
【００１４】
窓枠２は、図２に示すように、建物の開口部に配置されて建物の躯体６に固定されている。下枠１２が固定される躯体６は、土台６１と、ふかし材６２とを備える。ふかし材６２は、土台６１に固定ねじ６３で固定されている。ふかし材６２の上面には、床下地材６５を介して床仕上げ材６６が取り付けられている。
【００１５】
下枠１２には、屋外側の外障子３を案内する外レール１２１と、屋内側の内障子４を案内する内レール１２２とが形成されている。なお、図示を省略するが、上枠１１にも、外障子３を案内する外レールと、内障子４を案内する内レールとが形成されている。
下枠１２は、見込み方向において、内レール１２２から室内側の部分が、躯体６（ふかし材６２）の上面に載置され、内レール１２２から室外側の部分が躯体６よりも室外側に配置されている。
下枠１２は、下方に突出したヒレ部１２３を備え、ヒレ部１２３は躯体６の外面に当接して配置されている。また、下枠１２の下面部１２４には、断面Ｌ字状に形成されて室内側に開口された係止部１２５が設けられている。
【００１６】
下枠１２は、図１，２に示すように、下枠用ブラケット３０で支持されている。下枠用ブラケット３０は、第１ブラケット３１と、第２ブラケット４１とで構成されている。
第１ブラケット３１は、アルミニウム等を押出成形した金属製部材であり、第１固定片３２と、第１延出片３３とを備え、断面略Ｌ字状に形成されている。
第１ブラケット３１は、図１に示すように、下枠１２の長手方向に延長された長尺な部材であり、下枠１２の左右両端部以外の領域に亘って配置されている。なお、第１ブラケット３１は、下枠１２の垂れ下がりを防止できる位置に配置されていればよく、図１に示す長さ寸法や配置位置に限定されない。ただし、下枠１２の左右方向の中央領域つまり外障子３、内障子４の召合せ框の下方部分が最も垂れ下がりやすいため、少なくとも中央領域置を含むように配置されていることが好ましい。
【００１７】
第１固定片３２は、第１固定支持部３２１と、第２固定支持部３２２とを有する。第１固定支持部３２１は、第１延出片３３の室内側端部から下方に向かって延出されており、ヒレ部１２３の室外側に沿って配置されている。第２固定支持部３２２は、第１固定支持部３２１の下端部から室内側に向かって斜め下方に延出され、さらに下方に向かって延出されて躯体６の室外面に沿って配置されている。
第１固定支持部３２１および第２固定支持部３２２には、長手方向に沿って所定間隔毎に挿通孔が形成されており、この挿通孔に挿通されたネジ３５、３６によって、躯体６、具体的にはふかし材６２に固定されている。
なお、ネジ３５、３６は、タッピングネジで構成されている。ネジ３５は、第１固定支持部３２１の挿通孔からねじ込まれ、ヒレ部１２３を介してふかし材６２にねじ込まれている。このため、ヒレ部１２３は、第１固定支持部３２１と共に、ネジ３５によって躯体６に固定されている。一方、第２固定支持部３２２は、ヒレ部１２３よりも下方に位置し、直接、躯体６（ふかし材６２）に接しており、ネジ３６によって躯体６に固定されている。なお、下枠１２の室内側端部には、躯体６の上面に載置されるヒレ部が設けられ、このヒレ部はネジ１５で躯体６に固定されている。
【００１８】
第１延出片３３は、第１固定片３２の上端部から室外方向に延出されており、下面部１２４に沿って配置されている。第１延出片３３の室外側端部は、係止部１２５内に挿入されている。なお、第１延出片３３には、水密材３４が取り付ける取付溝３３１が形成されており、水密材３４は下面部１２４に当接して、下枠１２および第１ブラケット３１間をシールしている。
【００１９】
第２ブラケット４１は、ステンレスやアルミニウム等を折り曲げ加工した金属製部材であり、第２固定片４２と、第２延出片４３とを備え、断面略Ｌ字状に形成されている。
第２ブラケット４１は、図１に示すように、第１ブラケット３１に比べて短尺のピース材であり、下枠１２の左右方向の中央位置に配置されている。
【００２０】
第２固定片４２は、鉛直方向に沿って設けられ、第１固定片３２の室外側に配置されている。また、第２固定片４２の上下方向の寸法は、第１固定片３２よりも大きくされ、第２固定片４２の下半分は、第１固定片３２の下端よりも下方に配置されている。
躯体６（土台６１）の室外面には、胴縁６７がネジ５０で取り付けられ、第２固定片４２は、胴縁６７を介して土台６１までねじ込まれるネジ４５によって躯体６に固定されている。
ここで、ネジ４５は、タッピングネジで構成され、第２固定片４２に形成された挿通孔から、胴縁６７を介して土台６１にねじ込まれている。したがって、第１ブラケット３１の第１固定片３２は、ふかし材６２に固定されているのに対し、第２ブラケット４１の第２固定片４２は、土台６１に固定されている。
なお、本実施形態では、図１に示すように、ネジ４５は、第２固定片４２において、上下２箇所、左右２箇所の計４箇所でねじ込まれているが、ネジ４５の本数や配置位置はこの例に限定されない。第２ブラケット４１のサイズや、第２ブラケット４１で支持する荷重などに応じて設定すればよい。
【００２１】
第２延出片４３は、第２固定片４２の上端部から室外方向に延出されており、第１延出片３３の下面に沿って配置されている。
第２延出片４３の室外側端部近傍には、第２延出片４３を上下方向に貫通するネジ穴４３１が形成され、このネジ穴４３１には調整ネジ４７が螺合されている。本実施形態では、第２延出片４３の左右２箇所にネジ穴４３１が形成され、各ネジ穴４３１にそれぞれ調整ネジ４７が螺合されている。また、ネジ穴４３１の見込み方向の位置は、第１ブラケット３１における水密材３４の配置位置とほぼ同じとされている。
調整ネジ４７の頭部を回すことで、調整ネジ４７のネジ部の先端は、ネジ穴４３１から上方に突出可能であり、さらにその突出量も調整可能である。このため、調整ネジ４７の先端は、第１延出片３３の下面に当接可能に構成されている。
【００２２】
第２ブラケット４１の第２固定片４２の室外側には、外壁材６８が配置され、外壁材６８の上面と第２固定片４２との間にはシーリング材６９が充填されている。この際、前記調整ネジ４７は、見込み方向の位置が、外壁材６８の室外側に配置されるようにネジ穴４３１の位置が設定されている。
また、第２ブラケット４１が配置されていない部分では、外壁材６８と第１延出片３３との間にシーリング材６９が充填されて止水処理が施されている。
【００２３】
次に、調整ネジ４７を用いた下枠１２の位置調整について、図３を参照して説明する。
外壁材６８の仕上げ作業を行った後、下枠１２の垂れ下がりが発生した場合には、調整ネジ４７を第１ブラケット３１に向かってねじ込む。これにより、調整ネジ４７の先端（上端）は第２ブラケット４１の第２延出片４３から上方に突出し、第１ブラケット３１の第１延出片３３の室外側端部を上方に持ち上げ、第１延出片３３が当接する下枠１２も上方に持ち上がる。このため、下枠１２は、室外側に向かって斜め上方に向かうように傾斜した姿勢となり、下枠１２の中央領域をやや上方に持ち上げた状態にでき、下枠１２の垂れ下がりを防止できる。
なお、図３に示すように、下枠１２の位置調整を行った際に、第１ブラケット３１の第１延出片３３と、第２ブラケット４１の第２延出片４３との間に隙間が生じた場合は、下枠１２の調整後にシーリング材等を充填して止水処理を行えば良い。また、第２ブラケット４１が配置されていない部分では、外壁材６８と、第１延出片３３との間は、シーリング材６９が充填されているため、下枠１２の位置調整後であっても止水機能を維持できるが、シーリング材６９と第１延出片３３や外壁材６８との間に隙間が生じた場合には、その隙間部分にもシーリング材等を充填して止水処理を行えば良い。
【００２４】
このような本実施形態によれば、下枠１２を支持する下枠用ブラケット３０を、第１ブラケット３１および第２ブラケット４１の２つのブラケットで構成し、第２ブラケット４１の第２延出片４３に設けたネジ穴４３１に調整ネジ４７をねじ込んで、第１ブラケット３１を持ち上げることで、下枠１２の垂れ下がりを防止できる。
調整ネジ４７のねじ込み量によって、第１ブラケット３１や下枠１２の上下方向の位置を直接調整できるので、下枠１２の下がり量に対して容易にかつ精度よく調整することができる。特に、調整ネジ４７は、第１ブラケット３１の第１延出片３３の室外側端部を直接持ち上げることができ、下枠１２の位置を容易にかつ精度よく調整できる。
【００２５】
ネジ穴４３１を第２延出片４３に形成しているので、調整ネジ４７の頭部を下面部１２４の下方であり、かつ、外壁材６８の室外側に露出させることができる。このため、外壁仕上げ後であっても、調整ネジ４７を操作することができ、外壁材６８を剥がすことなく、下枠１２の位置を容易に調整できる。
【００２６】
第１ブラケット３１の第１固定片３２よりも、第２ブラケット４１の第２固定片４２を下方まで延長しているため、第１ブラケット３１がふかし材６２に固定されている場合に、第２ブラケット４１を土台６１に固定できる。このため、ふかし材６２を固定ねじ６３で土台６１に固定した際のふかし材６２の固定強度が弱い場合や、ふかし材６２への第１ブラケット３１の取付け固定強度が弱い場合であっても、第２ブラケット４１は土台６１に固定されるため、取付強度が安定する。さらに、下枠用ブラケット３０が、第１ブラケット３１および第２ブラケット４１の二重構造であるため、下枠１２の支持強度も向上でき、下枠１２を安定して保持できる。
【００２７】
第１ブラケット３１は、従来から用いられているものをそのまま用いることができ、第２ブラケット４１および調整ネジ４７を追加するだけで、実現できるため、コスト増を抑制できる。特に、第２ブラケット４１は、第１ブラケット３１に比べて短尺のピース材でよく、通常は、下枠１２の左右方向の中央部分に１つ設けるだけでよいため、コスト増も最小減に押さえることができる。さらに、第２ブラケット４１は、断面略Ｌ字状に形成されており、プレス加工等で容易に成形できるため、ステンレスなどのアルミニウムに比べて剛性の高い材料で構成することもできる。したがって、下枠１２の支持強度を容易に高めることができる。
【００２８】
調整ネジ４７を、第１延出片３３の水密材３４の配置位置のほぼ下方位置に設けたので、調整ネジ４７で第１延出片３３を下面部１２４側に押し付けることで、水密材３４を確実に下面部１２４に密着させることができ、止水性能を向上できる。
【００２９】
第１ブラケット３１は、長尺に形成されており、下枠１２の下面部１２４に広い面積で当接するため、外障子３の荷重も第１ブラケット３１全体の面で受けることができる。このため、下枠１２において一部分に荷重が集中して下面部１２４の一部が凹むなどの変形が生じることを防止できる。
なお、調整ネジ４７は、第１ブラケット３１の一部分のみに接触するが、金属材同士の接触であるため、第１ブラケット３１の変形なども防止できる。
【００３０】
［第２実施形態］
次に、本発明の第２実施形態の下枠用ブラケット７０について、図４，５を参照して説明する。なお、第２実施形態は、下枠用ブラケットの構成が第１実施形態と相違し、下枠１２、土台６１、外壁材６８等の構成は第１実施形態と同様であるため、対応する構成には同一符号を付して説明を省略する。
第２実施形態の下枠用ブラケット７０は、下枠１２の下面部１２４に接する第１部材７１と、第１部材７１の下側に配置される第２部材８１とを備える。
第１部材７１および第２部材８１は、共に下枠１２の長手方向に延長された長尺部材であり、同じ長さ寸法で設けられている。
【００３１】
第１部材７１は、下枠１２に接する当接片７２と、当接片７２の室内側端縁に形成されて第２部材８１に係合する係合フック部７３とを備える。当接片７２は、係合フック部７３に連続して設けられた薄肉部７２１と、薄肉部７２１の室外側に連続して設けられて薄肉部７２１よりも厚さ寸法が大きい厚肉部７２２とを備える。
厚肉部７２２には、調整ネジ７７が取り付けられるネジ穴７２３と、水密材７４が取り付けられる取付溝７２４とが形成されている。ネジ穴７２３は、第１部材７１の長手方向において、少なくとも外障子３、内障子４の召合せ部の位置に合わせて形成されている。
なお、本実施形態では、ネジ穴７２３は、厚肉部７２２を上下に貫通しているが、調整ネジ７７を上方に突出させる必要は無いため、下面側のみに開口させてもよい。
【００３２】
第２部材８１は、下枠１２が取り付けられ躯体６に固定される固定片８２と、固定片８２から室外方向に延出された延出片８３とを備える。
固定片８２は、第１実施形態の第１ブラケット３１の第１固定片３２と同様に、第１固定支持部８２１、第２固定支持部８２２を備えており、ネジ８５、８６で土台６１に固定されている。
延出片８３は、薄肉部７２１に沿って配置される第１延出部８３１と、厚肉部７２２に沿って配置される第２延出部８３２とを備える。第１延出部８３１の室内側端部には、前記係合フック部７３が係合される係合溝８３３が形成されている。
第２延出部８３２は、第１延出部８３１の室外側端部から下方に傾斜され、さらに室外側に向かって延出されている。第２延出部８３２には、前記ネジ穴７２３と同じ位置に、貫通穴８３４が形成されている。
貫通穴８３４の直径は、調整ネジ７７の頭部の直径よりも小さくされ、調整ネジ７７の頭部が延出片８３において貫通穴８３４の周囲に当接可能に構成されている。また、貫通穴８３４の直径は、調整ネジ７７の頭部に形成された工具係合部に係合される工具を挿通可能なサイズとされている。調整ネジ７７の頭部に形成された工具係合部とは、マイナスドライバーが係合可能なマイナス溝や、プラスドライバーが係合可能な十字溝や、六角レンチが係合可能な六角溝など、調整ネジ７７を回転させる工具が係合可能な溝や穴である。
【００３３】
土台６１の室外面には胴縁６７がネジ５０で取り付けられ、この胴縁６７の室外側に外壁材６８が配置されている。外壁材６８の上面と第２部材８１の第１延出部８３１との間にはシーリング材６９が充填されている。この際、前記貫通穴８３４は、第２延出部８３２に形成されているため、外壁材６８の室外側に配置されている。
【００３４】
次に、調整ネジ７７を用いた下枠１２の位置調整について、図５を参照して説明する。
外壁材６８の仕上げ作業を行った後、下枠１２の垂れ下がりが発生した場合には、貫通穴８３４にドライバー等の工具を差し込み、調整ネジ７７を緩める方向（通常は反時計回り）に回転する。これにより、調整ネジ７７は、ネジ頭部が厚肉部７２２に対して下方に移動する。この際、調整ネジ７７の頭部は、第２部材８１の第２延出部８３２の貫通穴８３４の周囲に当接しており、第２部材８１はネジ８５、８６で土台６１に固定されているため、第２部材８１は下方に殆ど移動しない。したがって、調整ネジ７７を下方に移動しようとすると、第２延出部８３２に対して、第１部材７１の厚肉部７２２が上方に移動する。このため、第１部材７１の室外側端部が上方に移動し、第１部材７１が当接する下枠１２も上方に持ち上がる。よって、下枠１２は、室外側に向かって斜め上方に向かうように傾斜した姿勢となり、下枠１２の垂れ下がりを防止できる。
【００３５】
図５に示すように、下枠１２の位置調整を行った際に、第１部材７１と第２部材８１との間に隙間が生じた場合は、下枠１２の調整後にシーリング材等を充填して止水処理を行えば良い。なお、第２部材８１は長尺部材とされて下枠１２の全長に亘ってほぼ配置されているので、外壁材６８、シーリング材６９との位置関係は変化せず、外壁材６８との間のシーリング作業を追加して行う必要はない。
【００３６】
このような第２実施形態では、前記第１実施形態と同様の作用効果を奏することができる。
すなわち、下枠１２を支持する下枠用ブラケット７０を、第１部材７１および第２部材８１の２つの部材で構成し、第１部材７１の当接片７２に設けたネジ穴７２３に螺合されている調整ネジ７７を回転して、第２部材８１に対して第１部材７１を持ち上げることで、下枠１２の垂れ下がりを防止できる。
調整ネジ７７の回転量によって、第１部材７１や下枠１２の上下方向の位置を直接調整できるので、下枠１２の下がり量に対して容易にかつ精度よく調整することができる。特に、調整ネジ７７は、第１部材７１の当接片７２の室外側端部を直接持ち上げることができ、下枠１２の位置を容易にかつ精度よく調整できる。
【００３７】
ネジ穴７２３を当接片７２の厚肉部７２２に形成しているので、調整ネジ７７のねじ込み量を確保でき、その分、第１部材７１や下枠１２の移動量も大きくできる。
また、ネジ穴７２３や貫通穴８３４を、外壁材６８の室外側に形成しているので、外壁仕上げ後であっても、調整ネジ７７を操作することができ、外壁材６８を剥がすことなく、下枠１２の位置を容易に調整できる。
【００３８】
第１部材７１の室内側端部に形成した係合フック部７３を、第２部材８１の係合溝８３３に係合させており、かつ、係合フック部７３は、ヒレ部１２３と第２部材８１との間に配置されているので、調整ネジ７７を回転させた際に、第１部材７１が見込み方向にずれることがなく、第１部材７１を上下方向に確実に移動させることができる。
【００３９】
厚肉部７２２にネジ穴７２３および取付溝７２４を形成したので、調整ネジ７７と水密材７４との見込み方向の位置を近接させることができる。このため、調整ネジ７７で厚肉部７２２を下枠１２の下面部１２４側に押し付けることができ、水密材７４を確実に下面部１２４に密着させることができ、止水性能を向上できる。
【００４０】
第１部材７１および第２部材８１は、長尺に形成されており、下枠１２の下面部１２４に広い面積で当接するため、外障子３の荷重も第１部材７１全体の面で受けることができ、その荷重を第２部材８１全体で支持して躯体６に伝えることができる。このため、下枠１２において一部分に荷重が集中して下面部１２４の一部が凹むなどの変形が生じることを防止できる。
なお、調整ネジ７７は、第２部材８１の一部分のみに接触するが、金属材同士の接触であるため、第２部材８１の変形なども防止できる。
【００４１】
［変形例］
なお、本発明は以上の実施形態で説明した構成のものに限定されず、本発明の目的を達成できる範囲での変形例は、本発明に含まれる。
例えば、第２実施形態では、第１部材７１にネジ穴７２３を形成していたが、図６に示すように、第１部材７１にはネジ穴を設けずに第２部材８１の第２延出部８３２にネジ穴８３５を形成し、ネジ穴８３５に調整ネジ７７Ａをねじ込んでもよい。調整ネジ７７Ａとしては、図６に示すようなイモネジ（六角穴付き止めネジ）を用いてもよいし、第１、２実施形態の調整ネジ４７、７７でもよい。
この変形例においても、調整ネジ７７Ａを第１部材７１に向かってねじ込むことで、第１部材７１および下枠１２を押し上げて傾斜させることができ、下枠１２の垂れ下がりを防止できる。
【００４２】
また、第１実施形態の第２ブラケット４１や、第２、３実施形態の調整ネジ７７、７７Ａが設けられる位置は、下枠１２の中央領域（外障子３および内障子４の召合せ框の下部部分）に限定されず、下枠１２の垂れ下がりを調整できる位置であればよい。
例えば、下枠１２の左右両端から下枠１２の長手方向寸法の１／３の位置に、第２ブラケット４１や調整ネジ７７、７７Ａをそれぞれ設けて、２箇所で下枠１２を持ち上げてもよい。さらに、３箇所以上に設けてもよい。
さらに、調整ネジ４７、７７、７７Ａによる下枠１２の位置調整は、外壁材６８の仕上げ作業の後のみに限らず、外壁材６８の仕上げ作業前に行ってもよい。従って、引違い窓１の施工時に下枠１２の位置を調整することもでき、施工後、数年経過後に下枠１２の位置を調整することもできる。
【００４３】
前記実施形態では、建具枠である窓枠２を樹脂製で構成していたが、建具枠としては、アルミニウム等の金属製の枠材で構成したものでもよいし、金属材と樹脂材との複合枠材で構成したものでもよい。
【００４４】
本発明の下枠を用いる建具としては、引違い窓に限定されず、片引き窓、ＦＩＸ窓、引違いテラス戸等の各種建具に利用でき、特に、半外付けの建具等であって、下枠の室外側が障子の荷重などで下がる可能性がある建具に適している。そして、第２ブラケット４１や調整ネジ７７、７７Ａは、各種建具において下枠の垂れ下がりを効果的に防止できる位置に設ければよい。
【符号の説明】
【００４５】
１…建具である引違い窓、２…建具枠である窓枠、３…外障子、４…内障子、６…躯体、１２…下枠、３０…下枠用ブラケット、３１…第１ブラケット、３２…第１固定片、３３…第１延出片、４１…第２ブラケット、４２…第２固定片、４３…第２延出片、４７…調整ネジ、６１…土台、６２…ふかし材、６７…胴縁、６８…外壁材、６９…シーリング材、７０…下枠用ブラケット、７１…第１部材、７２…当接片、７３…係合フック部、７７、７７Ａ…調整ネジ、８１…第２部材、８２…固定片、８３…延出片、４３１、７２３、８３５…ネジ穴、８３４…貫通穴。
【図１】
2019138075.tif 000003
【図２】
2019138075.tif 000004
【図３】
2019138075.tif 000005
【図４】
2019138075.tif 000006
【図５】
2019138075.tif 000007
【図６】
2019138075.tif 000008